(57)【特許請求の範囲】
【請求項１】
入力部と、
出力部と、
この入力部に入力されるデータをタイムスタンプに関連させるとともに表示された時間が前記タイムスタンプと予め設定された関係にある場合に前記出力部から前記データを出力するタイミング手段と、
前記タイミング手段によって表示された時間の進行中に、時間基準変化に起因する潜在的な不連続を通知する潜在不連続通知手段と、
潜在的な不連続を通知する際に、予め設定された関係を訂正する時間訂正手段とを含むことを特徴とするシステム。
【請求項２】
前記タイミング手段は、
入力タイマレジスタと、
出力タイマレジスタと、
周期的かつ個別に前記入力タイマレジスタ及び前記出力タイマレジスタを増分させる増分手段と、
前記入力タイマレジスタを前記出力タイマレジスタにそれぞれ同期させる複数の同期手段とを含み、
前記潜在不連続通知手段を、前記複数の同期手段のうちの一つが前記複数の同期手段のうちの他の一つからの同期を引き継ぐときに前記潜在的な不連続を通知するように構成したことを特徴とする請求の範囲１記載のシステム。
【請求項３】
前記入力部及び入力タイマレジスタは送信機に含まれ、
前記出力部及び出力タイマレジスタは受信機に含まれ、
前記データ及びタイムスタンプを、前記バスを介して前記送信機から前記受信機に伝送し、
前記送信機は、前記データを前記タイムスタンプに関連させて前記バスを介した入力を行う前に通知された潜在的な不連続の数を表すコードも送信するようにしたことを特徴とする請求の範囲２記載のシステム。
【請求項４】
前記受信機は、前記コードを潜在的な不連続の局所計数と比較するとともにこの局所計数が前記コードに整合しない場合には前記予め設定された関係を訂正するように配置した時間訂正手段を含むことを特徴とする請求の範囲３記載のシステム。
【請求項５】
前記時間訂正手段は、少なくとも最近通知した潜在的な不連続の時間進行への影響の程度を表す連続の程度を記憶させる連続記憶装置を含み、前記時間訂正手段は、前記予め設定された関係を前記程度に応じて訂正するように構成されたことを特徴とする請求の範囲４記載のシステム。
【請求項６】
少なくとも二つの最近の前記程度を記憶させるようにしたことを特徴とする請求の範囲５記載のシステム。
【請求項７】
バスを介した伝送を行う送信機であって、
入力タイマレジスタと、
この入力タイマレジスタを周期的に増分させる増分手段と、
前記入力タイマレジスタを同期信号に応じて更新する更新手段と、
入力部と、
前記バスに対して訂正する出力部と、
前記入力部に入力されたデータを前記入力タイマレジスタから獲得した前記タイムスタンプに関連させるとともに前記データに前記タイムスタンプを結合して前記出力部から出力する手段とを具える送信機において、
前記送信機は、
タイミング手段によって表示された時間の進行中に潜在的な不連続を通知する潜在不連続通知手段と、
前記潜在不連続通知手段から通知された潜在的な不連続を計数する不連続カウンタとを具え、
前記送信機を、前記タイムスタンプに関連させて前記バスを介した前記計数を表すコードを送信するように配置したことを特徴とする送信機。
【請求項８】
前記潜在不連続通知手段を、複数の同期手段のうちの一つが複数の同期手段のうちの他の一つからの同期信号の発生を引き継いだことを検出すると前記潜在的な不連続を通知するように配置したことを特徴とする請求の範囲７記載の送信機。
【請求項９】
バスからの受信を行う受信機であって、
出力タイマレジスタと、
この出力タイマレジスタを周期的に増分させる増分手段と、
前記出力タイマレジスタを同期信号に基づいて更新する更新手段と、
前記バスに接続する入力部と、
出力部と、
前記出力タイマレジスタによって表示された時間が前記入力部から受信されたタイムスタンプと予め設定された関係となると前記入力部で受信したデータを前記出力部から出力する手段とを具える受信機において、
前記受信機は、
タイミング手段によって表示された時間の進行中に潜在的な不連続を通知する潜在不連続通知手段と、
この潜在不連続通知手段から通知された潜在不連続を局所的に計数する不連続カウンタと、
前記タイムスタンプに関連して受信した潜在的な不連続の計数を表すコードに前記局所計数が整合しない場合前記予め設定された関係を訂正する時間訂正手段とを具えることを特徴とする受信機。
【請求項１０】
前記潜在不連続通知手段を、複数の同期手段のうちの一つがこれら複数の同期手段のうちの他の一つからの同期信号の発生を引き継いだことを検出すると前記潜在的な不連続を通知するように配置したことを特徴とする請求の範囲９記載の受信機。
【請求項１１】
前記時間訂正手段は、少なくとも最近通知された潜在的な不連続の時間進行への影響の程度を表す連続の程度を記憶する不連続記憶装置を含み、前記時間訂正手段は、前記予め設定された関係を前記程度に応じて訂正するように構成されたことを特徴とする請求の範囲９又は１０記載の受信機。
【発明の詳細な説明】
本発明は、入力部と、出力部と、この入力部に入力されるデータをタイムスタンプに関連させるとともに表示された時間が前記タイムスタンプと予め設定された関係にある場合に前記出力部から前記データを出力するタイミング手段とを有するシステムに関するものである。このようなシステムは、未公開の欧州特許出願公開明細書第94201945号（PHN14.935 EP-P）に記載されている。
このようなシステムは、例えば、タイミング手段によって測定した時間に対して測定されたような、入出力間の一定時間の遅延を提供する。この一定時間遅延は、タイミング手段によって表示された時間の進行が予測不可能な不連続を示す場合補償されない。この理由は、この際に入力の時間及び出力の時間が同一タイムスケールに対して測定できないからである。
本発明の目的は、このような不連続の影響を克服できるようにすることである。
本発明によるシステムは、入力部と、出力部と、この入力部に入力されるデータをタイムスタンプに関連させるとともに表示された時間が前記タイムスタンプと予め設定された関係にある場合に前記出力部から前記データを出力するタイミング手段と、前記タイミング手段によって表示された時間の進行中に、時間基準変化に起因する潜在的な不連続を通知する潜在不連続通知手段と、潜在的な不連続を通知する際に、予め設定された関係を訂正する時間訂正手段とを含むことを特徴とするものである。このようにして、潜在的な妨害の影響の各々が通知され、タイミング関係が補正される。
本発明によるシステムの一例では、前記タイミング手段は、入力タイマレジスタと、出力タイマレジスタと、周期的かつ個別に前記入力タイマレジスタ及び前記出力タイマレジスタを増分させる増分手段と、前記入力タイマレジスタを前記出力タイマレジスタにそれぞれ同期させる複数の同期手段とを含み、前記潜在不連続通知手段を、前記複数の同期手段のうちの一つが前記複数の同期手段のうちの他の一つからの同期を引き継ぐときに前記潜在的な不連続を通知するように構成する。したがって、複数の相違する同期源、例えばＰ１３９４バスシステムのタイムマスタとなりうる相違する装置が存在する。同期源が変化すると、不連続が潜在的に発生する。したがって、Ｐ１３９４では、新たなタイムマスタが予め古いタイムマスタに同期された場合には不連続が存在しないが、例えば新たなタイムマスタがタイムマスタになる直前に切り替えられた場合には不連続が存在する。
本発明によるシステムは、前記入力部及び入力タイマレジスタは送信機に含まれ、前記出力部及び出力タイマレジスタは受信機に含まれ、前記データ及びタイムスタンプを、前記バスを介して前記送信機から前記受信機に伝送し、前記送信機は、前記データを前記タイムスタンプに関連させて前記バスを介した入力を行う前に通知された潜在的な不連続の数を表すコードも送信するようにした他の例を有する。したがって、本発明はバスシステムに適用される。このシステム、例えばＰ１３９４バスシステムにおいて、データは、データの入力とバスが利用できる時間との間の時間に依存して変動しうる遅延を経験する。この際、この遅延は、予め設定された時間関係が生じるまで受信機中でデータを更に遅延させることによって補償される。タイムスタンプとコードの両方をバスを介して送信することにより、受信機を、タイミング関係を訂正できるようにする。
本発明によるシステムの他の例では、前記受信機は、前記コードを潜在的な不連続の局所計数と比較するとともにこの局所計数が前記コードに整合しない場合には前記予め設定された関係を訂正するように配置した時間訂正手段を含む。
本発明によるシステムの他の例では、前記時間訂正手段は、少なくとも最近通知した潜在的な不連続の時間進行への影響の程度を表す連続の程度を記憶させる連続記憶装置を含み、前記時間訂正手段は、前記予め設定された関係を前記程度に応じて訂正するように構成される。（潜在的な不連続が実現されないことがわかった場合に零とすることができる）不連続の実際の程度を、同期が最初に実行されるまで、すなわち潜在的な不連続が通知された後まで測定できない。測定された不連続を記憶することにより、タイムスタンプと出力の時間との間の関係を、入出力が一つ以上の潜在的な不連続によって分離される際に調整して、入出力間の実際の時間関係が不連続によって悪影響を及ぼされないようにすることができる。
図１は、本発明によるシステムを示す。
図２は、本発明による受信機を示す。
ＩＥＥＥから出されたＩＥＥＥ  Ｐ１３９４規格は、共通のシステムクロック信号を大或に分布させる必要なく相違する複数のビットレートで通信することができる多ノードを有するデジタル通信ネットワークのアーキテクチャを規定する。原理的には、各ノードは、ネットワークの他のビットクロック発生器に任意の方法で同期すなわちロックされないそれ自体の局所ビットクロック発生器を有する。24.576MHz±100ppmの基準クロックレートが規定され、この周波数に４，８又は１６を乗算することにより三つのあり得るビットクロックレートが獲得される。
Ｐ１３９４アーキテクチャは、大或バス時間の概念を導入するのに用いられる共通時間基準機構も規定する。これは、ある特定の規則に基づいて基準クロックレートで増分するいわゆるサイクルタイマレジスタを用いて行われる。しかしながら、これら基準クロックのいずれもロックされないので、サイクルタイマレジスタの値は、それらが元々全て等しい場合には、時間全体に亘って等しく分布する。同期中これらの値を保持するために、ノードのうちの一つをサイクルマスタに指定し、このノードは、それ自体のサイクルタイマレジスタの実効値を含むネットワークのパケットを周期的（平均して１２５μｓごとに１回）に送信する義務がある。このパケットを受信する他の全てのノードは、受信した値に応じてそれら自体のサイクルタイマレジスタの内容を更新する義務を有する。
Ｐ１３９４の動作では、バスに対するアクセスが任意の所望の時間で保証されない。その結果、このバスを横切って移送されたデータは、固定されない遅延を経験する。この遅延ジッタは、（ＭＰＥＧ−２移送ストリームのような）あるタイプのデータがある特定の予防措置を講じないと移送できないような大きさとなる。あるタイプの予防措置では、移送前に各パケットにタイムスタンプを付加するとともに、このスタンプを受信機で使用して一定の移送遅延を人工的に創成している。このような機構の詳細な記載を、欧州特許出願公開明細書第94201945.6号（PHN14.935 EP-P）から見つけることができる。
この方法では、スタンプの値は、パケットがそれ自体のホストシステムから送信機に供給される際に送信ノードのサイクルタイマレジスタの値から引き出される。一定の移送遅延を創成するために、この方法は、受信機のバス時間（＝サイクルタイマレジスタの値）が任意のパケットに付加したスタンプの値に等しくなるまで受信機に記憶すべき任意のパケットを必要とする。バスに対するアクセスを全ての時間で同一送信機に許可できないので、送信側で緩衝も必要とされる。
このタイムスタンプの方法は、バスに異常が存在しない限り良好に作用する。この方法が通常的に失敗し、すなわちバスリセットシーケンスの発生後の短時間にある特定の状況となる。新たなノードがネットワークに追加され又は存在するノードがネットワークから除去される場合常に、バスリセットが行使される。バスリセットシーケンスは、サイクルマスタとしても作用するネットワークルートノードの選択を含む。バスにちょうど追加した新たなノードにこれが発生すると、サイクルマスタとしてのこの選択はバスタイムで不連続となるおそれがある。以後、これを時間基準変化と称する。これは、送信機又は受信機の任意のバッファで現在待機するパケットに付加した全てのスタンプ値を無効にもするため不所望なものである。これについて何も行われないと、最悪の場合、パケットが正確な時間でなくかなり遅れて供給されるので、時間基準変化によりバッファがオーバーフローする。例えば、ＣＲＴが１６ミリ秒ジャンプバックすると、元々１００マイクロ秒前を指定したスタンプは、１６．１ミリ秒前を指定し、対応するパケットはその時間の間供給バッファで待機したままである。
本発明は、中間時間基準変化が原因でスタンプが無効となるか否かを、パケットに付加したタイムスタンプを検査することによって検出することができる方法を記載する。また、本発明は、時間基準変化が１回以上急速に連続して発生しても、時間基準変化を補償するために個々のスタンプ値を調整するよう任意の動作をとることができることに基づく方法を提供する。
パケットに付加した時間スタンプを、ＴＢ（時間基準）フィールドと称するある固定幅Ｗ（ビット数）の新たなフィールドだけ延長する。
サイクルタイマレジスタ値のスタンピング（及び多分その次の処理）によって新たなタイムスタンプを送信機に創成すると常に、ＴＢフィールドは、送信機に配置されたＷビットカウンタＴＣの値を仮定する。このＴＢ値は、元のタイムスタンプとともにパケットに付加し、それらは送信される。送信機が初期化されると常に、ＷビットカウンタＴＣの値を零に設定する。バスリセット、すなわち他の潜在的な時間基準変化の異常が送信ノードで検出されると常に、ＷビットカウンタＴＣの値が１増分される。
図１は、本発明によるシステムの概略図である。このシステムは、送信機１０と、受信機２０と、送信機１０、受信機２０、及び他の二つの装置２４，２６に接続するバス２２とを含む。
送信機１０を、タイムスタンピング送信機とする。送信機１０は、カウンタＴＣ  １のバス＿リセット入力部に結合したバス＿リセット検出器４を有する。カウンタ１は、スタンプフォーマット化ユニット２に結合した出力部を有する。送信機１０は、サイクルタイマレジスタ６に結合したクロック発生器５を含む。サイクルタイマ更新ユニット８を、サイクルタイマレジスタ６のセット入力部に接続する。サイクルタイマレジスタ６の出力部を、スタンプフォーマット化有する２のタイムスタンプ入力部に接続する。スタンプフォーマット化ユニットを、スタンプ付加ユニット３に結合する。さらに、送信機１０は、スタンプされたパケットを送信バッファ７に供給するスタンプ付加ユニット３に接続したアプリケーションデータパケット用のパケット入力部を有する。
動作中、装置２４又は２６をタイムマスタとすることができる。サイクルタイマレジスタ６は、クロック発生器５のクロックサイクル数の計数を含む。サイクルタイマ更新ユニット８が、サイクルマスタのサイクルタイマレジスタの実効値を含むネットワークのパケットを受信すると、それは、サイクルタイマレジスタ６の内容を更新する。
スタンプ付加ユニット３は、時間ごとにパケットを受信し、アタッチメントを付加する。アタッチメントを、タイムスタンプ入力部で受信したタイムスタンプ（Ｎビット長、例えばＮ＝２０）及びカウンタ１の計数（Ｗビット長、例えばＷ＝２）から構成する。パケットを、それがバス２２を介して送信されるまで、アタッチメントとともに送信バッファ７に記憶させる。
受信機２０を、タイムスタンプ基準受信機とする。受信機は、コンパレータ１２に結合した出力部を有するカウンタＲＣ１１のバス＿リセット入力部に結合したバスリセット検出器を有する。受信機２０は、バス２２で受信したパケット及びアタッチメントから回復されたアタッチメントを受信するアタッチメント入力部を有する。このアタッチメント入力部を、アタッチメントの計数値をコンパレータ１２に供給するとともにタイムスタンプを供給システム１４に供給するスタンプ処理ユニット１３に結合する。受信機２０は、サイクルタイマレジスタ１７に結合したクロック発生器１８と、サイクルタイマレジスタ１７のプリセット入力部に接続したサイクルタイマ更新ユニット１９も含む。
動作中、サイクルタイマレジスタ１７は、クロック発生器１８のクロックサイクル数の計数を含む。サイクルマスタのサイクルタイマレジスタの実効値を含むネットワークのパケットをサイクルタイマ更新ユニット１９が受信すると、それは、サイクルタイマレジスタ１７の内容を更新する。
コンパレータ１２は、受信した計数値をカウンタ１１の計数値と比較する。これら値が等しい場合、供給システム１４は、通常タイムスタンプによって決定したときにバス２２から受信したパケットの供給を行う。すなわち、供給システム１４は、クロック発生器１８のクロックサイクル数の計数を含むタイマレジスタ１７の内容に関連のタイムスタンプが整合するとパケットの供給を行う。
新たなリンクが最初に初期化されると、受信機は、最初に受信したパケットに付加されたＴＢフィールド値を用いて、カウンタＲＣ  １１をカウンタＴＣ  １に同期させ、このスタンプを有効にマークする（カウンタＲＣ  １１を、カウンタＴＣ  １と同様に０に初期化することもできる。）。次のパケットの各々に対して、付加されたＴＢフィールドの値をカウンタＲＣ  １１の値と比較し、これら二つの値が等しい場合のみパケットに付加したタイムスタンプを有効にマークする。受信機１の検出器４がバスリセットすなわち他の潜在的な時間基準変化の異常を検出すると、それはカウンタＲＣ  １１を１増分する。
２w−１まで、縦続したリセットをこの方法によって処理することができる。これを以下のように実現することができる。時間基準が変化すると、パケットとともに既に記憶された全てのスタンプは同一のままである。これら全てのパケットが完全に処理されるまで幾分時間がかかり、古い時間基準に関連する全てのタイムスタンプはシステムから除去される。多バスリセットが急速に連続して生じる場合、各中間時間基準に基づく通過中にパケットが存在するのが可能となる。受信機は、パケットがまだ通過中でありうる時間基準の数が２w未満である場合タイムスタンプが委ねるのはどの時間基準かを明確に決定することができる。
無効なタイムスタンプの処理を、出力システムタイミングの所望の正確さ及び許容されるシステムの複雑さに依存して多数の相違する方法で行うことができる。極端な場合には、
−  このようなスタンプを処理する最も簡単な方法では、これらタイムスタンプを無視し、無効なタイムスタンプを有するパケットをすぐに、すなわちできるだけ早く供給する。ハードウェアコストは最小になるが、アプリケーションパケットをホストシステムに迅速に供給するとバッファに問題が生じるおそれがある。
−  無効なスタンプを処理するのに幾分複雑であるが非常に良好な方法では、これらスタンプを用いる直前にこれらの値を調整して、時間基準変化の補償を行う。これを行うために、受信機は、全ての時間基準の前に２w−１のトラックを保持する、すなわち不連続のサイズを保持する必要がある。スタンプがより早い時間基準に基づいて到達すると、受信機は、その時間基準と現在のものとの間の差を算出し、受信したスタンプにそれを追加する。その後スタンプは通常の使用に対して有効となる。
図２はこの解決を実証する。図２は、バス２２に接続した受信機３０を示す。図１の受信機２０の部材と同様な部材には同一参照番号を付すものとする。この受信機３０は、コンパレータ１２の代わりにスタンプメモリシステム３２及び加算器３４を含む。
動作中、各パケットに対して、タイムスタンプメモリシステム３２は、付加されたＴＢフィールドの値及びカウンタＲＣ  １１の値を受信する。ＴＢフィールド及びカウンタの値を比較する。この比較に基づいて、時間基準差をメモリから検索し、これを加算器３４に供給する。加算器３４はこの差をパケットのタイムスタンプに加算する。タイムスタンプ供給システム１４は、通常タイムスタンプによって決定されたように供給を行い、すなわち、加算器から出力されたタイムスタンプの出力がタイマレジスタ１７の内容に整合する際にパケットの供給を行う。
受信機１の検出器４がバスリセット又は他の潜在的な時間基準変化の異常を検出すると常に、タイマレジスタ１７の現在の内容と潜在的な時間基準変化の後の新たな内容との間の差（時間基準の不連続のサイズ）を、タイムスタンプメモリシステム３２に記憶させる。タイムスタンプメモリシステム３２は、最後の２w−１の潜在的な時間基準変化の差を維持する。
大抵の目的に対して、Ｗの値を非常に大きくする必要がない。例えばＷ＝２の値により、パケットが緩衝される時間間隔中三つの時間基準運変化を考慮することができる。この場合、三つの不連続のサイズを記憶するだけでよい。一つ以上の時間基準変化がパケットの緩衝中最長時間間隔で発生する際、Ｗ＝１（単一ビット計数）でも十分とすることができる。
バスリセットは、例えば、新たな装置（例えば装置２４又は２６）がバスに付加される際、すなわちこのような装置の電力がオンに切り替えられる（電力をセーブするために、使用しないときには市販のシステムの装置をオフに切り替える。）際に発生する。バスリセットを、バス上でバスリセットメッセージを伝送することによって行う。バスに接続された全ての装置は、このメッセージを検出し、それらの各時間基準カウンタの内容を増分して、バス時間が不連続に変化したことを表すことができる（リセット後、バス時間が不連続に変化したことは確かではない。これは、新たにスイッチオンした装置２４又は２６が新たなタイムマスタの場合のみ発生する。）
実際には、バスリセットとタイマサイクルが更新された最初の瞬時との間に時間間隔が存在するおそれがある。この場合、時間基準カウンタの値は、タイマサイクルレジスタがバスリセット後タイママスタによって更新される最初の瞬時に増分される必要がある。
より複雑な解決では、装置は、バスリセット後タイムマスタが同一でないことを検出した場合のみ時間基準カウンタを増分させる。このようにして、Ｗ値を減少させることができるが、タイムマスタの変化を検出するためには装置がより複雑になる。
装置は、バス時間が不連続に変化するか否かを更新それ自体から検出することもできる（クロックレート仕様が正確である場合、更新は、タイマレジスタの内容から±１のみ相違するようにすることができ、その結果、例えば２のしきい値より大きい変化の検出を、時間基準カウンタを増分させるのに利用することができる。）。しかしながら、これは、相違する装置間で一致しなくなるおそれがある。
遅いメッセージの取扱い
非同期伝送プロトコルは、一定の（ジッタのない）移送遅延を必要とするＭＰＥＧのようなデータタイプ用のタイムスタンプ機構を実現する。一般的な概念は、受信機がパケットをそのホストシステムに供給した（バス時間に対する）瞬時を表す各パケットに対して送信機がタイムスタンプを付加することである。送信機は、その値から現在の時間を引いたものが通常の状況下で任意のパケットが経験する最大遅延より既に大きくなるようなスタンプを算出する。
この状況では、受信機に到達する全てのパケットは、ある将来の瞬時を言及するスタンプ値を有する。しかしながら、この規則が破られる異常状態が存在する。一例として、サイクル開始パケットの損失及び／又はフルバスリセットを考察する。パケットを、それらが最終的に送信し及び受信される際に、それらが適切な供給に対して非常に遅く到達する限り送信機に保持することができる。
適切な時間の供給に対して受信機に非常に遅く到達するアプリケーションレベルパケット（例えば、ＭＰＥＧ−ＴＰ）を、レートパケットと称する。タイムスタンプを、正確に規定されたセマンティックス解釈なしで例えば２０ビットの値とするので、パケットが遅い場合の正確な決定方法は明らかではない。例えば、以前の１ミリ秒の瞬時を言及するスタンプを、（クロック周波数が３２ミリ秒のウィンドウの周辺の２０ビット値の重なりとなるようにする場合）将来の３１ミリ秒の瞬時を言及するスタンプとして解釈することもできる。
これを解決するために、３２ミリ秒のウィンドウを、４ミリ秒の持続時間及び２８ミリ秒の「早」パートを有する「遅」パートに分割する。二つのパートの境界を常に現バス時間（サイクルタイマレジスタ（ＣＲＴ）値）とする。アプリケーションレベルパケットの到達時間を、アプリケーションパケットの最終ビットを含むバスパケットの最終ビットが到達するバス時間と規定する（すなわち、アプリケーションパケットの全てのビットが受信され、ＣＲＣ（サイクル冗長コード）が検査される。）。
到達時間Ａを有するアプリケーションパケットは、そのタイムスタンプ値がＡ−４ミリ秒の間隔にある場合のみ遅くなり、そうでない場合には早くなる。４ミリ秒の間隔は、正確には３２サイクルすなわち24.576MHzクロックの32*3072クロックの瞬間となる。
早パケットを、可能なときに常に、スタンプに表示された時間で発生させる。遅パケットの処理は、例えば、何としても供給できるか否か、すなわち利用し損なうか否かに応じて、できるだけ早く実現（及び多分適用）される。
図面を用いて例示したように説明した本発明は、例えば、タイミング手段により計測された時間に対して測定したように入出力間の一定の時間遅延を提供するシステムを提供する。タイミング手段によって表された時間の進行は、予測不可能な不連続を表すことができる。この理由は、この際入力時間及び出力時間を同一タイムスケールに対して測定できないからである。本発明によるシステムによれば、このような不連続の影響を克服することができる。
【図１】
0003845114.tif 000002
【図２】
0003845114.tif 000003